(57)【要約】  本発明は、制御弁（１）、特に液圧式のドアクローザの、雌ねじ山を備えて構成される孔内に固定可能な制御弁（１）であって、制御区分（２）が接続する基体（２ａ）と、該基体（２ａ）に設けられるねじ山（３）とを備える形式のものに関する。簡単に構成されており、運転中に制御弁が、意図せず、自発的に調節されてしまう可能性を排除する制御弁を提供するために、装入部材（８）のための収容部（４）内に少なくとも１つの突出部（６）が設けられており、該突出部（６）が前記装入部材（８）の表面に、制御弁（１）の軸方向の回転運動時に前記装入部材（８）が回転方向で運動するように係合し、該装入部材（８）が前記ドアクローザの孔又は雌ねじ山と協働して締付け作用及びシール作用を及ぼすようにした。突出部（６）は、本実施の形態では装入部材（８）のための連行子として働く。
2010532830.tif 000002
【特許請求の範囲】
【請求項１】
制御弁（１）、特に液圧式のドアクローザの、雌ねじ山を備えて構成される孔内に固定可能な制御弁（１）であって、制御区分（２）が接続する基体（２ａ）と、該基体（２ａ）に設けられるねじ山（３）とを備え、該ねじ山（３）が、前記液圧式のドアクローザの孔の雌ねじ山に螺入される形式のものにおいて、装入部材（８）のための収容部（４）内に少なくとも１つの突出部（６）が設けられており、該突出部（６）が前記装入部材（８）の表面に、制御弁（１）の軸方向の回転運動時に前記装入部材（８）が回転方向で運動するように係合し、該装入部材（８）が前記ドアクローザの孔又は雌ねじ山と協働して締付け作用を及ぼすことを特徴とする、制御弁。
【請求項２】
前記突出部（６）が、前記装入部材（８）の表面に係合する区分において、ノッチ状に形成されている、請求項１記載の制御弁。
【請求項３】
前記装入部材（８）が弾性変形可能である、請求項１記載の制御弁。
【請求項４】
前記装入部材（８）が前記ドアクローザの孔又は雌ねじ山と協働してシール作用を及ぼす、請求項１記載の制御弁。
【発明の詳細な説明】
【技術分野】
【０００１】
本発明は、制御弁、特に液圧式のドアクローザの、雌ねじ山を備えて構成される孔内に固定可能な制御弁であって、制御区分が接続する基体と、該基体に設けられるねじ山とを備え、該ねじ山が、前記液圧式のドアクローザの孔の雌ねじ山に螺入される形式のものに関する。基体は収容部を有しており、収容部は、取り付けられた装入部材の表面に係合する突出部を備える。
【０００２】
ＤＥ１０２２８８７２Ｂ４に開示されるドアクローザのための制御弁は、基体及び制御区分からなる。基体には、制御弁を制御するために、ドアクローザの孔内に螺入可能なねじ山が存在する。制御区分は、スリーブ状に構成されており、玉継手結合部を介して基体に結合されている。制御弁、特に制御区分の不都合な回動を防止するために、制御区分に配置される、付設部又は突出部として形成されている回り止めが設けられている。この付設部は、ドアクローザのハウジングに設けられた溝内で長手方向可動に案内されている。
【０００３】
本発明の課題は、簡単に構成されており、運転中に制御弁が、意図せず、自発的に調節されてしまう可能性を排除する、冒頭で述べた形式の制御弁を提供することである。
【０００４】
この課題を解決するために、請求項１に記載の特徴を備える制御弁が提案される。従属請求項には有利な形態が記載されている。
【０００５】
このために、本発明では、装入部材が取り付けられる収容部内に少なくとも１つの突出部が設けられており、該突出部が、取り付けられた前記装入部材の表面に、制御弁の軸方向の回転運動時に前記装入部材を回転方向で運動させるように係合し、該装入部材が前記ドアクローザの孔又は雌ねじ山と協働して締付け作用を及ぼし、摩擦モーメントを形成するようにした。装入部材の外径は、ドアクローザの孔又は雌ねじ山より大きな直径を有する。これにより、ドアクローザの孔又は雌ねじ山における装入部材の摩擦モーメントは上昇する。
【０００６】
これにより、軸方向の回転運動時においても、締付け作用あるいはクランプ作用及びシール作用が達成される。さらに、締付け作用によって、制御弁の、意図しない、自発的な緩解又は回動が防止される。
【０００７】
さらなる改良は、前記突出部が、前記装入部材の表面に係合する区分において、ノッチ状（ｋｅｒｂｆｏｅｒｍｉｇ）に形成されていることによって達成される。これにより、突出した区分は、装入部材の表面に係合可能であり、装入部材のための一種の連行子として機能する。
【０００８】
特に有利には、前記装入部材が弾性変形可能である。これにより、突出部は簡単に装入部材の表面に係合可能である。また、公差域も補償可能である。
【０００９】
さらに有利には、前記装入部材が前記ドアクローザの孔又は雌ねじ山と協働してシール作用を及ぼす。これにより、必要なシール機能が置換される。
【００１０】
もちろん、収容部内に複数の突出部が設けられていてもよい。やはり、収容部内で互いに対向する面に配置されている突出部が設けられていてもよい。
【００１１】
上記課題を解決するための手段を説明するために、以下に図面を添付した。
【図面の簡単な説明】
【００１２】
【図１】本発明に係る制御弁の斜視図である。
【図２】図１に示した本発明に係る制御弁の側面図である。
【図３】図１に示した制御弁の詳細図である。
【図４】装入部材が取り付けられた図１に示した本発明に係る制御弁の側面図である。
【００１３】
図１は、液圧式のドアクローザ用に予定されている制御弁１を示す。このドアクローザは、多種多様なドアクローザであってよく、例えばＤＥ１０３６１０８５Ａ１に記載の偏心カムディスク又はＤＥ１９９０１２３４Ｃ１に記載のラックによって運転可能である。制御弁１は、制御区分２及び基体２ａからなる。制御弁１の一方の端部には制御区分２が存在し、制御区分２に対向する端部には操作区分７が存在する。これらの端部間にはねじ山３及び収容部４が存在する。収容部４は突出部６を有する。
【００１４】
図２は、制御弁１の側面図である。収容部４の区分には突出部６が存在し、突出部６の対向する側には収容部４内に当接面５が存在する。制御弁１の一端（図面で見て左側）に、制御弁１は操作区分７を有する。
【００１５】
図３は、図１の拡大図であり、収容部４内に突出部が図示されている。
【００１６】
図４は、装入部材８あるいはインサートが取り付けられた制御弁１の側面図である。突出部６は、装入部材８の片側に作用して、装入部材８を、突出部６の対向する側にある当接面５に押し付ける。
【符号の説明】
【００１７】
１  制御弁
２  制御区分
２ａ  基体
３  ねじ山
４  収容部
５  当接面
６  突出部
７  操作区分
８  装入部材
【図１】
2010532830.tif 000003
【図２】
2010532830.tif 000004
【図３】
2010532830.tif 000005
【図４】
2010532830.tif 000006
【手続補正書】
【提出日】平成20年11月5日(2008.11.5)
【手続補正１】
【補正対象書類名】特許請求の範囲
【補正対象項目名】全文
【補正方法】変更
【補正の内容】
【特許請求の範囲】
【請求項１】
制御弁（１）、特に液圧式のドアクローザの、雌ねじ山を備えて構成される孔内に固定可能な制御弁（１）であって、制御区分（２）が接続する基体（２ａ）と、該基体（２ａ）に設けられるねじ山（３）とを備え、該ねじ山（３）が、前記液圧式のドアクローザの孔の雌ねじ山に螺入される形式のものにおいて、装入部材（８）のための収容部（４）内に少なくとも１つの突出部（６）が設けられており、該突出部（６）が、前記装入部材（８）の表面に係合する区分において、ノッチ状に形成されていることを特徴とする、制御弁。
【請求項２】
前記装入部材（８）が弾性変形可能である、請求項１記載の制御弁。
【請求項３】
前記装入部材（８）が前記ドアクローザの孔又は雌ねじ山と協働してシール作用を及ぼす、請求項１記載の制御弁。
【請求項４】
該突出部（６）が前記装入部材（８）の表面に、制御弁（１）の軸方向の回転運動時に前記装入部材（８）が回転方向で運動するように係合し、該装入部材（８）が前記ドアクローザの孔又は雌ねじ山と協働して締付け作用を及ぼす、請求項１記載の制御弁。
【手続補正２】
【補正対象書類名】明細書
【補正対象項目名】０００５
【補正方法】変更
【補正の内容】
【０００５】
このために、本発明では、装入部材が取り付けられる収容部内に少なくとも１つの突出部が設けられており、該突出部が、前記装入部材の表面に係合する区分において、ノッチ状（ｋｅｒｂｆｏｅｒｍｉｇ）に形成されているようにした。これにより、突出した区分は、装入部材の表面に係合可能であり、装入部材のための一種の連行子として機能する。
【手続補正３】
【補正対象書類名】明細書
【補正対象項目名】０００７
【補正方法】変更
【補正の内容】
【０００７】
特に有利には、前記装入部材が弾性変形可能である。これにより、突出部は簡単に装入部材の表面に係合可能である。また、公差域も補償可能である。
【手続補正４】
【補正対象書類名】明細書
【補正対象項目名】０００８
【補正方法】変更
【補正の内容】
【０００８】
さらに有利には、前記装入部材が前記ドアクローザの孔又は雌ねじ山と協働してシール作用を及ぼす。これにより、必要なシール機能が置換される。
【手続補正５】
【補正対象書類名】明細書
【補正対象項目名】０００９
【補正方法】変更
【補正の内容】
【０００９】
さらなる改良は、前記突出部が、取り付けられた前記装入部材の表面に、制御弁の軸方向の回転運動時に前記装入部材を回転方向で運動させるように係合し、該装入部材が前記ドアクローザの孔又は雌ねじ山と協働して締付け作用を及ぼし、摩擦モーメントを形成することによって達成される。装入部材の外径は、ドアクローザの孔又は雌ねじ山より大きな直径を有する。これにより、ドアクローザの孔又は雌ねじ山における装入部材の摩擦モーメントは上昇する。
【国際調査報告】
2010532830.tif 000007
2010532830.tif 000008
2010532830.tif 000009
2010532830.tif 000010
2010532830.tif 000011
2010532830.tif 000012